(57)【要約】【課題】通常使用時に特殊動作プログラムが偶発的に起動することなく、必要な時において特殊動作プログラムを容易に選択起動できるようにすることである。【解決手段】データ処理装置において、特殊動作プログラムの起動指示された場合に、データ処理装置の外部照度、光通信又は無線タグからの信号を検出し、所定の信号である場合に特殊動作プログラムを選択起動する。【選択図】図１
2005284637.tif 000002
【特許請求の範囲】
【請求項１】
通常動作プログラムと特殊動作プログラムが設定されたデータ処理装置において、
外部光の照度に対応した値の照度検出信号を出力する照度センサと、
前記通常動作プログラムを起動するか、又は前記特殊動作プログラムを起動するか、の選択を行うプログラム選択手段と、
前記プログラム選択手段による選択結果が特殊動作プログラムの起動である場合に、前記照度センサの照度検出信号を取得する取得手段と、
前記取得手段により取得された照度検出信号の値と予め定められた照度の基準値とを比較し、比較の結果、前記照度検出信号の値が前記予め定められた照度の基準値を超えた場合に前記特殊動作プログラムを起動させる起動命令を出力する判断手段と、
を備えたことを特徴とするデータ処理装置。
【請求項２】
前記取得手段は、所定の時間間隔で複数の前記照度検出信号を取得することを特徴とする請求項１に記載のデータ処理装置。
【請求項３】
前記予め定められた照度の基準値は、所定の閾値より高い場合又は低い場合であることを特徴とする請求項１又は２に記載のデータ処理装置。
【請求項４】
前記予め定められた照度の基準値は、所定の幅を持った照度の範囲であることを特徴とする請求項１〜３のいずれか一項に記載のデータ処理装置。
【請求項５】
通常動作プログラムと特殊動作プログラムが設定されたデータ処理装置において、
外部と信号通信を行うための通信モジュールと、
前記通常動作プログラムを起動するか、又は前記特殊動作プログラムを起動するか、の選択を行うプログラム選択手段と、
前記プログラム選択手段による選択結果が特殊動作プログラムの起動である場合に、前記通信モジュールの信号を取得する取得手段と、
前記取得手段により取得された信号の値と予め定められた信号値とを比較し、比較の結果、前記取得された信号の値が前記予め定められた信号値である場合に特殊動作プログラムを起動させる起動命令を出力する判断手段と、
を備えたことを特徴とするデータ処理装置。
【請求項６】
前記特殊動作プログラムは複数あり、
前記判断手段は、前記取得された信号の値と予め定められた信号値とを比較し、比較の結果、前記予め定められた信号値である場合に、所定の特殊動作プログラムを起動させる起動命令を出力することを特徴とする請求項５に記載のデータ処理装置。
【請求項７】
前記判断手段は、前記通信モジュールからの信号通信が得られない場合に通常動作プログラムを選択することを特徴とする請求項５〜６のいずれか一項に記載のデータ処理装置。
【請求項８】
コンピュータに、
通常動作プログラムを起動するか又は特殊動作プログラムを起動するかの選択を行う機能と、
前記選択された選択結果が特殊動作プログラムの起動である場合に外部光の照度に対応した値の照度検出信号を出力する照度センサの照度検出信号を取得する機能と、
前記取得された照度検出信号の値と予め定められた照度の基準値とを比較し、比較の結果、前記照度検出信号の値が前記予め定められた照度の基準値を超えた場合に前記特殊動作プログラムを起動させる起動命令を出力する機能と、
を実現させるためのプログラム。
【請求項９】
コンピュータに、
通常動作プログラムを起動するか又は特殊動作プログラムを起動するかの選択を行う機能と、
前記選択された選択結果が特殊動作プログラムの起動である場合に、外部と信号通信を行うための通信モジュールの信号を取得する機能と、
前記取得された信号の値と前記予め定められた信号値とを比較し、比較の結果、前記取得された信号の値が前記予め定められた信号値である場合に特殊動作プログラムを起動させる起動命令を出力する機能と、
を実現させるためのプログラム。
【発明の詳細な説明】
【技術分野】
【０００１】
本発明は、起動プログラムを選択するデータ処理装置及びプログラムに関する。
【背景技術】
【０００２】
一般に、電子機器等に内蔵されるプログラムには、一般ユーザによる当該電子機器の利用上必要とされる動作プログラム（例えばＯＳ（Operating  System）、各種アプリケーションプログラム等）の他に、一般ユーザの使用とは無関係であって当該電子機器内部の機能に関する特殊な動作プログラム（例えば、検査プログラム等）が含まれる。
従来、電子機器を一般ユーザが使用する場合に、上記特殊プログラムが誤って起動されることがないように種々の対策が講じられている。
例えば、所定のパスワードが入力されるまで待機して所定の画面表示を維持するプログラム起動方法（特許文献１参照）、業務プログラムを起動する際のパスワードを複数設定するようにした方法（特許文献２参照）あるいはボタン起動により複数のプログラムを起動する方法（特許文献３参照）が公知である。
【特許文献１】特開２０００−１１２７２８号公報
【特許文献２】特開２０００−１０９２６号公報
【特許文献３】特開２０００−３３９１４３号公報
【発明の開示】
【発明が解決しようとする課題】
【０００３】
上記方法は、特殊動作プログラムの誤った起動を防止して安全性を確保するためにはそれなりに有効な方法ではある。しかしながら、電子機器の工場出荷検査過程において個々の電子機器ごとにパスワードを入力する作業は、多くの手間、労力等を必要とし、作業効率の悪化のみならず、コストの上昇を招来することとなる。
また、上記方法であっても、一般ユーザの使用時において偶発的に特殊動作プログラムを起動するキーに触れてしまい、結果として特殊動作プログラムが起動されてしまうことを完全には回避できないものであった。
【０００４】
以上から、電子機器における通常動作プログラムと検査用特殊動作プログラムの選択起動において、より偶発的に起動しないものであり、必要な場合には簡易に起動できるということについて、さらなる開発が望まれていた。
【０００５】
本発明の課題は、、通常使用時に特殊動作プログラムが偶発的に起動することなく、必要な時において特殊動作プログラムを容易に選択起動できるようにすることである。
【課題を解決するための手段】
【０００６】
上記課題を解決するために、請求項１に記載の発明は、
通常動作プログラムと特殊動作プログラムが設定されたデータ処理装置において、
外部光の照度に対応した値の照度検出信号を出力する照度センサと、
前記通常動作プログラムを起動するか、又は前記特殊動作プログラムを起動するか、の選択を行うプログラム選択手段と、
前記プログラム選択手段による選択結果が特殊動作プログラムの起動である場合に、前記照度センサの照度検出信号を取得する取得手段と、
前記取得手段により取得された照度検出信号の値と予め定められた照度の基準値とを比較し、比較の結果、前記照度検出信号の値が前記予め定められた照度の基準値を超えた場合に前記特殊動作プログラムを起動させる起動命令を出力する判断手段と、
を備えたことを特徴とする。
更に、コンピュータに対して、上述した請求項１記載の発明に示した主要機能を実現させるためのプログラムを提供する（請求項８記載の発明）。
【０００７】
ここでいう通常動作プログラムとは、ユーザが電源投入又はリセット動作以外に特に指示することなく標準で起動するプログラムのことであり、例えばＯＳなどのプログラムである。また、特殊動作プログラムとは、機器の検査等にのみ使用するといった特殊なプログラムのことである。
【０００８】
請求項２に記載の発明は、請求項１に記載の発明において、前記取得手段は、所定の時間間隔で複数の前記照度検出信号を取得することを特徴とする。
【０００９】
請求項３に記載の発明は、請求項１又は２に記載の発明において、前記予め定められた照度の基準値は、所定の閾値より高い場合又は低い場合であることを特徴とする。
【００１０】
請求項４に記載の発明は、請求項１〜３のいずれか一項に記載の発明において、前記予め定められた照度の基準値は、所定の幅を持った照度の範囲であることを特徴とする。
【００１１】
請求項５に記載の発明は、通常動作プログラムと特殊動作プログラムが設定されたデータ処理装置において、
外部と信号通信を行うための通信モジュールと、
前記通常動作プログラムを起動するか、又は前記特殊動作プログラムを起動するか、の選択を行うプログラム選択手段と、
前記プログラム選択手段による選択結果が特殊動作プログラムの起動である場合に、前記通信モジュールの信号を取得する取得手段と、
前記取得手段により取得された信号の値と予め定められた信号値とを比較し、比較の結果、前記取得された信号の値が前記予め定められた信号値である場合に特殊動作プログラムを起動させる起動命令を出力する判断手段と、
を備えたことを特徴とする。
更に、コンピュータに対して、上述した請求項１記載の発明に示した主要機能を実現させるためのプログラムを提供する（請求項９記載の発明）。
【００１２】
請求項６に記載の発明は、請求項５に記載の発明において、前記特殊動作プログラムは複数あり、前記判断手段は、前記取得された信号の値と予め定められた信号値とを比較し、比較の結果、前記予め定められた信号値である場合に、所定の特殊動作プログラムを起動させる起動命令を出力することを特徴とする。
【００１３】
請求項７に記載の発明は、請求項５〜６のいずれか一項に記載の発明において、前記判断手段は、前記通信モジュールからの信号通信が得られない場合に通常動作プログラムを選択することを特徴とする。
【発明の効果】
【００１４】
請求項１及び８に記載の発明によれば、特殊動作プログラムの起動を選択し、且つ機器の外部照度状態が所定の状態であるという２つの条件からプログラムを選択起動することにより、偶発的に特殊動作プログラムが起動されることを防止することができる。
【００１５】
また、特殊動作プログラムの起動が選択されない場合は、取得動作に入らないため、通常動作プログラムの起動時間に影響することがなく、ユーザ側が前記特殊動作プログラムの存在を意識することのないデータ処理装置を提供することができる。
【００１６】
また、特殊動作プログラムの起動選択方法を一般に公開しないようにすることで、特殊動作プログラムの誤動作を防ぐことができる。
【００１７】
請求項５及び９に記載の発明によれば、特殊動作プログラムの起動を選択し、且つ通信モジュールから得られた信号の値が予め定められた信号値であるという２つの条件からプログラムを選択起動することにより、偶発的に特殊動作プログラムが起動されることを防止することができる。
【発明を実施するための最良の形態】
【００１８】
［第１の実施の形態］
以下、本発明の実施の形態に係るデータ処理装置１について、図面を参照しながら説明する。ただし、発明の範囲は図示例に限定されない。
【００１９】
図１（ａ）に本発明の実施形態に係るデータ処理装置１の正面外観を示す。図１（ａ）に示すように、データ処理装置１は、例えば折り畳み式携帯電話などであり、ユーザに情報を表示する表示部２２、ユーザからの入力指示を受け付ける操作部２３、外部の光量を検出する検出部２５、表示部２２と操作部２３とを向かい合わせに畳めるように接合しているヒンジ部２７などを備える。
【００２０】
なお、本発明の実施例は、折り畳み式携帯電話を例として挙げているが、ＰＤＡ（Personal  Digital  Assistant）、ＰＣ（Personal  Computer）、デジタルカメラなどでもよく、特に限定するものではない。
【００２１】
次に、図２を参照して、データ処理装置１の内部構成を説明する。図２に示すように、データ処理装置１は制御部２１、表示部２２、操作部２３、記憶部２４、検出部２５を備え、これら各部はバス２６を介して互いに接続する。
【００２２】
制御部２１は、図示しないＣＰＵ（Central  Processing  Unit）、ＲＡＭ（Random  Access  Memory）、ＲＯＭ等を備え、ＣＰＵにおいて、ＲＡＭの所定領域を作業領域としてＲＯＭに記憶されている各種制御プログラムに従い、上記各部に制御信号を送ってデータ処理装置１の動作全般を統括制御する。
【００２３】
また、制御部２１は、電源投入時やリセット時などの起動動作時において、ＲＯＭに記憶されている起動シーケンスプログラムに従い、ＣＰＵ自身の各種レジスタ等を初期化しするとともに、各部に対しての信号や論理を有効にすることにより制御下におき、通常動作プログラム又は特殊動作プログラムを選択起動する。
【００２４】
表示部２２は、液晶ディスプレイなどから構成されており、制御部２１から入力された表示データに基づいてディスプレイ上に画像を表示する。
【００２５】
操作部２３は、データ処理装置１に対する操作指示を入力するための数字キー、文字キー、機能キーなどの各種キーや、タッチパネル等のポインティングデバイスを含んで構成される。ユーザは、表示部２２に表示される画面を参照しながら操作部２３を操作することによりデータ処理装置１に対する各種操作指示を入力したり、電源のＯＮ／ＯＦＦ、リセットなどの起動／終了指示を入力したりする。
【００２６】
記憶部２４は、制御部２１により実行される各種制御処理プログラム及びこれらのプログラムで利用するデータ等が予め記憶されている記録媒体を有している。この記録媒体は、揮発メモリ、磁気的・光学的記録媒体又は不揮発性メモリなどで構成されており、ＯＳ、検査等に使用する特殊動作プログラム、各種アプリケーションプログラム又はデータを格納する。
【００２７】
検出部２５は、照度を電気的信号として出力する素子であり、例えばフォトダイオードなど照度を検出する素子とＩＣなどのＡ／Ｄ変換（Analog-To-Digital  Conversion）回路により構成され、前記素子により光量のレベルに従った照度検出信号をＡ／Ｄ変換して制御部２１に出力する。
【００２８】
なお、検出部２５は、通常の動作時において、外部光量から表示部２２のバックライトのＯＮ／ＯＦＦを制御して、電池駆動時間を延ばすように使用してよい。
【００２９】
次に、データ処理装置１における照度による動作プログラム選択起動について、図３に示すフローチャートを参照しながら説明する。なお、ここでの動作プログラム選択起動は、データ処理装置１の制御部２１が行うＡ１〜Ａ１１の各処理のよって行われる。
このフローチャートは、データ処理装置１を構成するコンピュータに各機能を実現させるためのプログラムを説明するためのものである。以下では、これらのプログラムが、制御部２１が読み取り可能なプログラムコードの形態で記録媒体に格納されている例で説明するが、全ての機能を記録媒体に格納する必要はなく、必要に応じて、その一部又は全部を、図示しない通信ネットワークを介して受信して実現するようにしてもよい。
【００３０】
電源投入やリセット指示により、制御部２１がＲＯＭの起動シーケンスプログラムによって初期化され（ステップＡ１）、操作部２３において所定のキーが押下されているかチェックされる（ステップＡ２）。
【００３１】
なお、ここにおける所定のキーとは、単一のキーでも複数のキーの組合わせでもよいが、複数のキーを組み合わせるようにすることが望ましい。
【００３２】
また、ステップＡ２におけるチェックは、特に操作部２３からの操作指示に限定するものでなく、制御下におかれた記憶部２４に格納されているデータからでもよい。
【００３３】
ステップＡ２において、所定のキーが押下されていない場合（ステップＡ２；Ｎｏ）、デバイスが初期化され（ステップＡ１０）、ＯＳが記憶部２４より読み込まれて起動され（ステップＡ１１）、終了される。
【００３４】
ステップＡ２において、所定のキーが押下されている場合（ステップＡ２；Ｙｅｓ）、次に検出部２５を初期化し（ステップＡ３）、照度が照度検出信号として取得される（ステップＡ４）。
【００３５】
次に、前記照度検出信号が指定範囲Ａ内にあるかが判定され（ステップＡ５）、指定範囲にない場合（ステップＡ５；Ｎｏ）、デバイスが初期化され（ステップＡ１０）、ＯＳが起動される（ステップＡ１１）。
【００３６】
ステップＡ５において、前記照度検出信号が指定範囲Ｂ内にある場合（ステップＡ５；Ｙｅｓ）、所定の時間経過するまで待機された後（ステップＡ６）、新たに照度検出信号が取得されて判定される（ステップＡ７）。
【００３７】
ステップＡ７において、新たに検出された照度検出信号が指定範囲Ｂ内にない場合（ステップＡ７；Ｎｏ）、デバイスが初期化され（ステップＡ１０）、ＯＳが起動される（ステップＡ１１）。
【００３８】
ステップＡ７において、新たに検出された照度検出信号が指定範囲Ｂ内にある場合（ステップＡ７；Ｙｅｓ）、特殊動作プログラムが選択起動され（ステップＡ８）、終了される。
【００３９】
なお、ここにおける指定範囲とは、所定の幅を持った照度の範囲であり、通常の使用条件下では起こりえない範囲を指定することが望ましい。
また、指定の閾値Ａ以上または指定の閾値Ｂ以下といった、閾値で範囲指定する構成であってもよい。
【００４０】
以上のように、本実施の形態によれば、データ処理装置１は、電源投入時やリセット時において、照度状態の組み合わせにより、ＯＳによる通常起動と検査用の特殊動作プログラム起動とを選択起動する。
【００４１】
また、一般に公開されない所定キーが押下されない場合は、ＯＳによる通常動作となることで、一般ユーザはプログラム選択処理を意識することなく使用できる。
また、日常生活にない複数の照度状態を選択することで、仮に所定キーが押下された場合においても、一般ユーザが検査プログラムを選択起動することを防ぐことができる。
【００４２】
なお、上述した本実施の形態における記述は、本発明に係るデータ処理装置１の一例であり、これに限定されるものではない。
【００４３】
［第２の実施の形態］
次に、図面を参照して、第２の実施形態に係るデータ処理装置１ａについて説明する。なお、簡略化のため、データ処理装置１と同様の構成については、同一符号を付して説明を省略する。
【００４４】
図１（ｂ）は、データ処理装置１ａの側面外観図であり、データ処理装置１ａは外部との赤外線通信用の検出部２５ａを備える。
【００４５】
次に、図２を参照しながら、データ処理装置１ａの内部構成について示す。データ処理装置１ａは、制御部２１、表示部２２、操作部２３、記憶部２４及び検出部２５ａを備え、これら各部はバス２６を介して互いに接続する。
【００４６】
検出部２５ａは、制御部２１から供給される送信データを所定周波数の赤外線信号に変換し発光する赤外線ダイオードなどによる送信回路と、受光状態を受光データとして制御部２１に出力する赤外線フォトトランジスタなどによる受光回路からなる赤外線デバイスであり、赤外線の検出・発信によって外部機器との信号通信を赤外線通信プロトコルであるＩｒＤＡ（Infrared  Data  Association）規格などに従い実行する。
【００４７】
次に、データ処理装置１ａにおける赤外線通信による動作プログラム選択起動について、図４に示すフローチャートを参照しながら説明する。なお、ここでの動作プログラム選択起動は、データ処理装置１ａの制御部２１が行うステップＡ２１〜ステップＡ３１の各処理によって行われる。
このフローチャートは、データ処理装置１を構成するコンピュータに各機能を実現させるためのプログラムを説明するためのものである。以下では、これらのプログラムが、制御部２１が読み取り可能なプログラムコードの形態で記録媒体に格納されている例で説明するが、全ての機能を記録媒体に格納する必要はなく、必要に応じて、その一部又は全部を、図示しない通信ネットワークを介して受信して実現するようにしてもよい。
【００４８】
電源投入やリセット指示により、制御部２１がＲＯＭの起動シーケンスプログラムによって初期化され（ステップＡ２１）、操作部２３において所定のキーが押下されているかチェックされる（ステップＡ２２）。
【００４９】
ステップＡ２２において、所定のキーが押下されていない場合（ステップＡ２２；Ｎｏ）、デバイスが初期化され（ステップＡ３０）、ＯＳが起動され（ステップＡ３１）、終了される。
【００５０】
ステップＡ２２において、所定のキーが押下されている場合、（ステップＡ２２；Ｙｅｓ）、次に検出部２５ａが初期化され（ステップＡ２３）、検出部２５ａが受信状態にされて（ステップＡ２４）、一定時間待機された後に所定の信号値を受信したか判定される（ステップＡ２５）。
【００５１】
ステップＡ２５において、所定の信号値が受信されない場合（ステップＡ２５；Ｎｏ）、デバイスが初期化され（ステップＡ３０）、ＯＳが起動されて（ステップＡ３１）終了される。
【００５２】
ステップＡ２５において、所定の信号値が受信された場合（ステップＡ２５；Ｙｅｓ）、受信された信号値が特殊動作プログラムＡ起動信号値であった場合（ステップＡ２６；Ｙｅｓ）、特殊動作プログラムＡが起動され（ステップＡ２７）、終了される。
【００５３】
また、受信された信号値が特殊動作プログラムＡ起動信号値でなかった場合（ステップＡ２５；Ｎｏ）、特殊動作プログラムＢが起動され（ステップＡ２８）、終了される。
【００５４】
なお、上述した本実施の形態における記述は、本発明に係るデータ処理装置１ａの一例であり、これに限定されるものではない。例えば、複数の所定の信号値を判定することにより、複数のプログラムを選択起動するものであってもよい。
【００５５】
以上説明したように、本実施の形態によれば、データ処理装置１ａは、電源投入時やリセット時において、赤外線通信により所定の信号値を受信して特殊動作プログラムと通常動作プログラムとを選択起動する。また、所定の信号値を用いることで、より偶発性を排除できるとともに、複数のプログラムの選択起動を確実に行うことが出来る。
【００５６】
［第３の実施の形態］
次に、本発明の第３の実施の形態に係るデータ処理装置１ｂついて説明するが、上記第１、２の実施の形態と同様の構成については同一の符号を付し、説明を省略する。
【００５７】
図１に示すように、データ処理装置１ｂは、制御部２１、表示部２２、操作部２３、記憶部２４、検出部２５ｂを備え、各部はバス２６を介して互いに接続している。
【００５８】
検出部２５ｂは、図示しないアクティブ型通信用アンテナにより、読み取り可能距離にある同じく図示しないＩＣタグに格納されているＩＤを通信信号の値として読み取り、該ＩＤを制御部２１へ出力する。
【００５９】
なお、本実施の形態における検出部２５ｂのＲＦＩＤは、アクティブ型通信を想定しているが、ＲＦＩＤ用ＩＣタグ書込み端末から書込み制御可能なパッシブ型のＩＤであり、当該端末から書き込まれた前記ＩＤを通信信号の値として制御部２１へ出力する構造でもよく、特に限定するものではない。
【００６０】
次に、データ処理装置１ｂにおける無線タグによる動作プログラム選択起動について、図５に示すフローチャートを参照しながら説明する。なお、ここでの動作プログラム選択起動は、データ処理装置１ｂの制御部２１が行うステップＡ４１〜ステップＡ４６の各処理によって行われる。
このフローチャートは、データ処理装置１を構成するコンピュータに各機能を実現させるためのプログラムを説明するためのものである。以下では、これらのプログラムが、制御部２１が読み取り可能なプログラムコードの形態で記録媒体に格納されている例で説明するが、全ての機能を記録媒体に格納する必要はなく、必要に応じて、その一部又は全部を、図示しない通信ネットワークを介して受信して実現するようにしてもよい。
【００６１】
電源投入やリセット指示により、制御部２１及び検出部２５ｂがＲＯＭの起動シーケンスプログラムによって初期化され（ステップＡ４１）、ＲＦＩＤによる無線タグのＩＤ確認が行われる（ステップＡ４２）。
【００６２】
ステップＡ４２の後に、ＩＤが規定値であるか判定され（ステップＡ４３）、規定値でない場合（ステップＡ４３；Ｎｏ）、デバイスが初期化され（ステップＡ４５）、ＯＳが起動されて（ステップＡ４６）、終了される。
【００６３】
ステップＡ４３において、規定値であると判定された場合（ステップＡ４３；Ｙｅｓ）、特殊動作プログラムが起動され（ステップＡ４４）、終了される。
【００６４】
なお、上述した本実施の形態における記述は、本発明に係るデータ処理装置１ｂの一例であり、例えば、所定キーを押すことでＩＤ確認が行われるような動作フローでもよい。また、複数の規定値から複数の特殊動作プログラムを起動する判定を行ってよく、これに限定されるものではない。
【００６５】
以上のように、本実施の形態によれば、データ処理装置１ｂは、電源投入時やリセット時において、無線タグのＩＤにより、ＯＳなどの通常動作プログラムと検査などに使用する特殊動作プログラムとの選択起動をする。
【００６６】
これにより、一般に公開しない無線タグのＩＤを使用することにより、ユーザにおいて偶発的に起動することのない、プログラム選択起動を行うことができる。また、無線タグによるＩＤの確認は瞬間的に行われるので、起動時間を短縮することができる。
【図面の簡単な説明】
【００６７】
【図１】（ａ）は、本発明を適用したデータ処理装置１、データ処理装置１ａ、データ処理装置１ｂの正面外観を示す図であり、（ｂ）は、本発明を適用したデータ処理装置１aの側面外観を示す図である。
【図２】本発明におけるデータ処理装置１、データ処理装置１ａ、データ処理装置１ｂの内部構造を示すブロック図である。
【図３】第１の実施の形態における照度によるプログラム選択起動を説明するフローチャート図である。
【図４】第２の実施の形態における赤外線通信によるプログラム選択起動を説明するフローチャート図である。
【図５】第３の実施の形態におけるＲＦＩＤによるプログラム選択起動を説明するフローチャート図である。
【符号の説明】
【００６８】
１  データ処理装置
２１  制御部
２２  表示部
２３  操作部
２４  記憶部
２５  検出部
２６  バス
２７  ヒンジ部
１ａ  データ処理装置
２１  制御部
２２  表示部
２３  操作部
２４  記憶部
２５ａ  検出部
２６  バス
２７  ヒンジ部
１ｂ  データ処理装置
２１  制御部
２２  表示部
２３  操作部
２４  記憶部
２５ｂ  検出部
２６  バス
２７  ヒンジ部
【図１】
2005284637.tif 000003
【図２】
2005284637.tif 000004
【図３】
2005284637.tif 000005
【図４】
2005284637.tif 000006
【図５】
2005284637.tif 000007